(57)【要約】【課題】開封に伴い、確実に消費者に対し訴求できる表示機能付き包装箱を提供する。【解決手段】側板１及び端板２から周壁を形成して、対向する側板１から内蓋フラップ５及び外蓋フラップ６をそれぞれ延出し、外蓋フラップ６に切目線Ｓに挟まれた切取部８を設け、切取部８より先端側で外蓋フラップ６を内蓋フラップ５に貼り合せて封緘した包装箱において、内蓋フラップ５の先端に表示片９を連設し、表示片９を折り返して、内蓋フラップ５と外蓋フラップ６の間に挟み込み、切取部８を切り取って開封すると、表示片９が反発で起立するようにする。【選択図】図３
2008133004.tif 000002
【特許請求の範囲】
【請求項１】
側板(1)及び端板(2)から周壁を形成して、対向する側板(1)から内蓋フラップ(5)及び外蓋フラップ(6)をそれぞれ延出し、外蓋フラップ(6)に切目線(S)に挟まれた切取部(8)を設け、切取部(8)より先端側で外蓋フラップ(6)を内蓋フラップ(5)に貼り合せて封緘した包装箱において、
内蓋フラップ(5)の先端に表示片(9)を連設し、表示片(9)を折り返して、内蓋フラップ(5)と外蓋フラップ(6)の間に挟み込み、切取部(8)を切り取って開封すると、表示片(9)が反発で起立するようにしたことを特徴とする表示機能付き包装箱。
【発明の詳細な説明】
【技術分野】
【０００１】
この発明は、商品を購入した消費者への各種表示を開封に際して行うことができ、かつ再封緘できるようにした包装箱に関するものである。
【背景技術】
【０００２】
従来、下記特許文献１には、図６に示すように、対向する側板５１の上端から内蓋フラップ５３及び外蓋フラップ５４を、端板５２から端フラップ５５をそれぞれ延出し、外蓋フラップ５４に切目線Ｓに挟まれた切取部５４ａを設け、端フラップ５５を内側へ折り曲げ、切取部５４ａより先端側で外蓋フラップ５４を内蓋フラップ５３に貼り合せて封緘するものが記載されている。
【０００３】
この包装箱では、内蓋フラップ５３の先端に差込片５３ａが連設され、差込片５３ａの基部には係止穴５３ｂが、外蓋フラップ５４の基部には係止突起５４ｂが、側板５１の上部には係止切込５１ａがそれぞれ形成されている。そして、封緘に際して、差込片５３ａは、下方へ折り曲げて、端フラップ５５と側板５１との間に差し込まれる。
【０００４】
一方、開封に際しては、切取部５４ａを一端から他端へかけて切目線Ｓ沿いに切り取ることにより、図７に示すように、外蓋フラップ５４を基部側と先端側とに分割し、内蓋フラップ５３を開いて、収納していた商品を取り出す。
【０００５】
また、開封後、残存した商品を保存しておく場合には、外蓋フラップ５４の基部から側板５１の上部にかけて、内蓋フラップ５３及び差込片５３ａを被せ、係止穴５３ｂに係止突起５４ｂを係合させると共に、差込片５３ａを係止切込５１ａに差し込むことにより、再封緘することができる。
【０００６】
【特許文献１】特開２００３−２９１９５６号公報
【発明の開示】
【発明が解決しようとする課題】
【０００７】
ところで、上記のような包装箱では、例えば、健康食品や医薬品等の商品と共に、説明書が同封されるが、このような説明書は、読まれない場合が多く、商品の使用法や注意事項が消費者に伝わらないことがある。
【０００８】
そこで、この発明は、開封に伴い、確実に消費者に対し訴求できる表示機能付き包装箱を提供することを課題とする。
【課題を解決するための手段】
【０００９】
上記のような課題を解決するため、この発明は、側板及び端板から周壁を形成して、対向する側板から内蓋フラップ及び外蓋フラップをそれぞれ延出し、外蓋フラップに切目線に挟まれた切取部を設け、切取部より先端側で外蓋フラップを内蓋フラップに貼り合せて封緘した包装箱において、内蓋フラップの先端に表示片を連設し、表示片を折り返して、内蓋フラップと外蓋フラップの間に挟み込み、切取部を切り取って開封すると、表示片が反発で起立するようにしたのである。
【発明の効果】
【００１０】
この包装箱では、開封に伴い、表示片が起立するので、表示片に記載した内容が消費者の目に入り、消費者に対して確実に訴求することができる。また、内蓋フラップを閉じ、表示片を下方へ折り曲げて、再封緘することができる。
【発明を実施するための最良の形態】
【００１１】
以下、この発明の実施形態を添付図面に基づいて説明する。
【００１２】
この発明の第１実施形態に係る包装箱の板紙製ブランクでは、図１に示すように、各一対の側板１及び端板２が交互に連設され、一方の側板１の外側端には継代片３が連設されている。各側板１の下端には底フラップ４が連設され、一方の側板１の上端には内蓋フラップ５が、他方の側板１の上端には外蓋フラップ６がそれぞれ連設されている。また、各端板２の上下端には、端フラップ７がそれぞれ連設されている。
【００１３】
外蓋フラップ６には、鉤形の切目が断続して横方向に延びる２本のジッパ型切目線Ｓに挟まれた切取部８が設けられている。切取部８を形成する２本の切目線Ｓのうち、一方の切目線Ｓは、外蓋フラップ６の先端から少し間隔をあけた位置に入れられ、他方の切目線Ｓは、外蓋フラップ６の側板１との境界に沿って入れられている。
【００１４】
内蓋フラップ５の先端には、表示片９が連設され、表示片９の基端には、押罫と切目とから成る折曲線Ｆが入れられている。折曲線Ｆは、中間部分が間隔をあけて２本並行するものとされ、その間に面取部１０が形成されている。
【００１５】
ここで、外蓋フラップ６の切取部８の幅は、表示片９の高さよりも大きく設定され、その範囲において、表示片９は可能な限り大きな面積とすることができる。そして、表示片９の表面には、商品の特徴や使用法の説明等が印刷される。
【００１６】
上記のようなブランクを組み立てて商品を包装するには、図２に示すように、各一対の側板１及び端板２を角筒状に折り曲げ、継代片３を反対側の端板２の内面に貼り付けて周壁を形成し、下方の端フラップ７を内側へ折り曲げ、底フラップ４同士を重ねて貼り合わせることにより底面を閉止する。
【００１７】
その後、箱内に商品を収納し、上方の端フラップ７を内側へ折り曲げ、表示片９を折り返しつつ、内蓋フラップ５を閉じ、外蓋フラップ６を閉じることにより、表示片９を内蓋フラップ５と外蓋フラップ６の間に挟み込み、切取部８より先端側で外蓋フラップ６を内蓋フラップ５に貼り合わせて封緘する。
【００１８】
この包装箱の製造及び商品の充填作業は、通常のグルア及び充填機を使用して、容易に行うことができる。
【００１９】
上記のように封緘した包装箱では、開封する際、図３に示すように、切取部８を一端から他端へかけて切目線Ｓ沿いに切り取り、外蓋フラップ６を切断すると、表示片９が折曲線Ｆの部分における反発で起立する。このとき、折曲線Ｆの面取部１０により、表示片９の反発が強められる。
【００２０】
このように表示片９が起立すると、大きな面積の表示片９に記載した内容が消費者の目に入り、消費者に対して確実に訴求することができるので、箱内に同封した説明書を消費者が読まなくても、商品の特徴や使用法等を消費者に認識させることができる。
【００２１】
また、商品が子供向けの菓子等である場合には、表示片９に、乗物やキャラクター等の図柄を印刷しておくと、開封時に子供の興味を惹きつけることができる。
【００２２】
その後、商品が箱内に残存している場合には、図４に示すように、表示片９を下方へ折り曲げつつ、内蓋フラップ５を閉じ、表示片９を端フラップ７と側板１との間に差し込むことにより、再封緘して、箱内への塵埃の侵入等を防止することができる。
【００２３】
また、この状態から再開封する場合には、指を折曲線Ｆの面取部１０に沿わせつつ、側板１と表示片９との間に差し入れて、内蓋フラップ５を容易に開くことができる。
【００２４】
なお、図５に示す第２実施形態のように、表示片９に横方向の折曲線Ｇ及びこれを基端とする上向き弧状の係止切込９ａを入れ、側板１の上部に舌片を形成する係止切込１ａを入れておき、再封緘に際し、内蓋フラップ５を閉じて、側板１に表示片９を被せ、係止切込１ａ，９ａを互いに係合させることにより、内蓋フラップ５が閉止状態に保持されるようにしてもよい。
【００２５】
また、周壁の形状は、上記各実施形態のような四角筒のほか、両側にそれぞれ複数枚の端板２を備えた六角筒や八角筒としても、上記と同様の構成により、表示機能及び再封緘機能を付与することができる。
【図面の簡単な説明】
【００２６】
【図１】この発明の第１実施形態に係る表示機能付き包装箱のブランクを示す図
【図２】同上の封緘状態を示す斜視図
【図３】同上の開封状態を示す斜視図
【図４】同上の再封緘状態を示す斜視図
【図５】第２実施形態に係る表示機能付き包装箱の再封緘状態を示す斜視図
【図６】従来の包装箱の封緘状態を示す斜視図
【図７】同上の開封状態を示す斜視図
【符号の説明】
【００２７】
１  側板
１ａ  係止切込
２  端板
３  継代片
４  底フラップ
５  内蓋フラップ
６  外蓋フラップ
７  端フラップ
８  切取部
９  表示片
９ａ  係止切込
１０  面取部
Ｓ  切目線
Ｆ  折曲線
Ｇ  折曲線
【図１】
2008133004.tif 000003
【図２】
2008133004.tif 000004
【図３】
2008133004.tif 000005
【図４】
2008133004.tif 000006
【図５】
2008133004.tif 000007
【図６】
2008133004.tif 000008
【図７】
2008133004.tif 000009